(57)【要約】【課題】製造工程を単純化しつつ、フルカラーを実現することができる電気泳動表示装置を提供する。【解決手段】電気泳動表示装置は、第１基板上に形成されている第１電極と、第１基板に対向する第２基板上に形成されている第２電極と、第１電極と第２電極との間を複数の領域に分離する隔壁と、各領域内に含まれ、赤色、緑色及び青色のいずれか一色で着色された複数の帯電粒子とを備える。【選択図】図３
2006293312.tif 000002
【特許請求の範囲】
【請求項１】
第１基板上に形成されている第１電極と、
前記第１基板に対向する第２基板上に形成されている第２電極と、
前記第１電極と前記第２電極との間を複数の領域に分離する隔壁と、
前記各領域内に含まれ、赤色、緑色及び青色のいずれか一色で着色された複数の帯電粒子と、
を備える電気泳動表示装置。
【請求項２】
隣接する前記各領域には、赤色、緑色及び青色のいずれか一色で着色された複数の帯電粒子が各々含まれていることを特徴とする、請求項１に記載の電気泳動表示装置。
【請求項３】
前記各領域は、複数の黒色帯電粒子をさらに含むことを特徴とする、請求項２に記載の電気泳動表示装置。
【請求項４】
前記黒色帯電粒子は、前記赤色、緑色及び青色のいずれか一色で着色された複数の帯電粒子と反対電荷を有することを特徴とする、請求項３に記載の電気泳動表示装置。
【請求項５】
前記第１電極は前記各領域毎に分離されており、各領域毎に別途の電圧が印加されることを特徴とする、請求項１に記載の電気泳動表示装置。
【請求項６】
前記第１基板上には、互いに交差するゲート線及びデータ線、半導体を備え、前記ゲート線及び前記データ線と電気的に接続されている薄膜トランジスタが形成されていることを特徴とする、請求項１に記載の電気泳動表示装置。
【請求項７】
前記薄膜トランジスタと前記第１電極との間には、有機物質からなる保護膜をさらに有することを特徴とする、請求項６に記載の電気泳動表示装置。
【請求項８】
前記データ線上に前記隔壁が形成されていることを特徴とする、請求項６に記載の電気泳動表示装置。
【請求項９】
前記第２電極は、前記各領域毎に中心部が凹んだ形態を有することを特徴とする、請求項１に記載の電気泳動表示装置。
【請求項１０】
前記第２基板と前記第２電極との間に層間膜をさらに有することを特徴とする、請求項１に記載の電気泳動表示装置。
【請求項１１】
前記層間膜は、前記各領域毎に中心部が凹んだ形態を有することを特徴とする、請求項１０に記載の電気泳動表示装置。
【請求項１２】
第１基板上に形成されている第１電極と、
前記第１基板に対向する第２基板上に形成され凹部を有する第２電極と、
前記第１電極と前記第２電極との間を複数の領域に分離する隔壁と、
前記各領域内に含まれ、流体内に分散している複数の着色帯電粒子と、
を備えることを特徴とする、電気泳動表示装置。
【請求項１３】
前記凹部は、前記各領域毎に形成されていることを特徴とする、請求項１２に記載の電気泳動表示装置。
【請求項１４】
前記第２基板と前記第２電極との間に形成され、凹凸を有する層間膜をさらに有し、前記第２電極の凹部は、前記層間膜の凹凸によって形成されることを特徴とする、請求項１２に記載の電気泳動表示装置。
【請求項１５】
前記第１基板上に互いに交差するゲート線及びデータ線と半導体を備え、前記ゲート線及び前記データ線と電気的に接続されている薄膜トランジスタが形成されていることを特徴とする、請求項１２に記載の電気泳動表示装置。
【発明の詳細な説明】
【技術分野】
【０００１】
本発明は、電気泳動表示装置に関し、特に、別途のカラーフィルタなしで全ての色を実現することができる電気泳動表示装置に関する。
【背景技術】
【０００２】
電気泳動表示装置（ｅｌｅｃｔｒｏｐｈｏｒｉｃ ｄｉｓｐｌａｙ）は、対向する２つの電極の間に形成される電位差によって２つの電極の間に位置した帯電粒子（ｃｈａｒｇｅｄ ｐａｒｔｉｃｌｅｓ）が反対極性の電極に移動する電気泳動（ｅｌｅｃｔｒｏｐｈｏｒｅｓｉｓ）現象を利用して文字などの画像を表示する平板表示装置である。
このような電気泳動表示装置は、反射率とコントラスト比が高く、紙のように安定した感じの画像を表示できるメリットがある。さらに、液晶表示装置とは異なって、偏光板、配向膜及び液晶などが不要と言う利点もある。
【発明の開示】
【発明が解決しようとする課題】
【０００３】
しかし、電気泳動表示装置は、白色及び黒色粒子を所定の形態の微小カプセル（ｍｉｃｒｏｃａｐｓｕｌｅ）内に分散させる複雑な工程が要求され、製造工程及び生産コストの面で不利であり、フルカラーを実現するためには別途のカラーフィルタを備える必要がある。
本発明は、前記問題点を解決するためのものであって、製造工程を単純化しつつ、フルカラーを実現することができる電気泳動表示装置を提供する。
【課題を解決するための手段】
【０００４】
本発明による電気泳動表示装置は、第１基板上に形成されている第１電極と、前記第１基板に対向する第２基板上に形成されている第２電極と、前記第１電極と前記第２電極との間を複数の領域に分離する隔壁と、前記各領域内に含まれ、赤色、緑色及び青色のいずれか一色で着色された複数の帯電粒子を備える。
ここで、隣接する前記各領域には、赤色、緑色及び青色のいずれか一色で着色された複数の帯電粒子が各々含まれている構成とすることができる。
【０００５】
また、前記各領域は、複数の黒色帯電粒子をさらに含む構成とすることができる。
さらに、前記黒色帯電粒子は、前記赤色、緑色及び青色のいずれか一色で着色された複数の帯電粒子と反対電荷を有する構成とすることができる。
また、前記第１電極が前記各領域毎に分離されており、各領域毎に別途の電圧が印加されるように構成できる。
【０００６】
前記第１基板上には、互いに交差するゲート線及びデータ線、半導体を備え、前記ゲート線及び前記データ線と電気的に接続されている薄膜トランジスタが形成されている構成とすることができる。
さらに、前記薄膜トランジスタと前記第１電極との間には、有機物質からなる保護膜をさらに有する構成とすることができる。
【０００７】
また、前記データ線上に前記隔壁が形成されているように構成できる。
前記第２電極は、前記各領域毎に中心部が凹んだ形態を有する構成とすることができる。
さらに、前記第２基板と前記第２電極との間に層間膜をさらに有する構成とすることができる。
【０００８】
前記層間膜は、前記各領域毎に中心部が凹んだ形態を有する構成とすることができる。
本発明に係る電気泳動表示装置は、第１基板上に形成されている第１電極と、前記第１基板に対向する第２基板上に形成され凹部を有する第２電極と、前記第１電極と前記第２電極との間を複数の領域に分離する隔壁と、前記各領域内に含まれ、流体内に分散している複数の着色帯電粒子とを備える。
【０００９】
ここで、前記凹部は、前記各領域毎に形成されている構成とすることができる。
また、前記第２基板と前記第２電極との間に形成され、凹凸を有する層間膜をさらに有し、前記第２電極の凹部は、前記層間膜の凹凸によって形成される構成とすることができる。
さらに、前記第１基板上に互いに交差するゲート線及びデータ線と半導体を備え、前記ゲート線及び前記データ線と電気的に接続されている薄膜トランジスタが形成されている構成とすることができる。
【発明の効果】
【００１０】
隔壁によって分離された領域でそれぞれの着色粒子を含むことによって、追加工程が不要で、かつ別途のカラーフィルタなしで多様な色を表現することができ、一側の電極に凹部を有することによってより改善された広視野角特性を実現することができる。
【発明を実施するための最良の形態】
【００１１】
以下、添付した図面を参照して、本発明の実施形態を、本発明が属する技術分野における通常の知識を有する者が容易に実施することができるように詳細に説明する。しかし、本発明は、多様な形態で実現することができ、ここで説明する実施形態に限定されない。
図面は、各種層及び領域を明確に表現するために、厚さを拡大して示している。明細書全体を通じて類似した部分については同一の参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【実施例１】
【００１２】
まず、図１を参照して本発明の一実施形態による電気泳動表示装置の駆動原理について説明する。
図１は、本発明の一実施形態による電気泳動表示装置の駆動原理を概略的に示した模式図である。
図１のように、本発明の一実施形態による電気泳動表示装置は、プラス（＋）及びマイナス（−）電界を形成するための下部電極１９０及び上部電極２７０と、下部電極１９０と上部電極２７０との間の領域を分離するための複数の隔壁３６０を備える。隔壁３６０によって分離された複数の領域には、絶縁性流体（ｆｌｕｉｄ）３１０と、絶縁性流体３１０に分散され、陽性（ｐｏｓｉｔｉｖｅ）または陰性（ｎｅｇａｔｉｖｅ）で帯電された複数の赤色粒子３００ａ、緑色粒子３００ｂ及び青色粒子３００ｃ（以下、着色粒子と言う）が順に充填されている。
【００１３】
本実施形態による電気泳動表示装置は、対向する下部電極１９０と上部電極２７０に電圧を印加して電極両端に電位差（＋／−）を形成する場合、陽性または陰性で帯電されている着色粒子３００ａ、３００ｂ、３００ｃが電気泳動現象によって反対極性の電極に移動する。この時、着色粒子３００ａ、３００ｂ、３００ｃが観察者側の電極に移動する場合、観察者は、着色粒子３００ａ、３００ｂ、３００ｃに反射された光によって、赤色、緑色、青色またはこれらの混合色で表現された画像を見ることができる。
【００１４】
以下、図２及び図３を参照して、本発明の一実施形態による電気泳動表示装置についてより詳細に説明する。
図２は、本発明の一実施形態による薄膜トランジスタ表示板を備える電気泳動表示装置の構造を示した配置図であり、図３は、図２の電気泳動表示装置のIII-III'線に沿った断面図である。
【００１５】
本発明の一実施形態による電気泳動表示装置は、薄膜トランジスタ表示板１００、対向表示板２００、及びこれらの間で隔壁３６０によって分離される複数の領域に充填され、着色粒子３００ａ、３００ｂ、３００ｃを有する絶縁性流体３１０を備える。
まず、薄膜トランジスタ表示板１００には、透明ガラスなどからなる下部基板１１０上にゲート電極１２４を有する複数のゲート線１２１が形成されている。
【００１６】
ゲート線１２１は、ゲート信号を伝達し、主に図２横方向に延設されている。各ゲート線１２１の一部は、複数のゲート電極１２４をなし、他の層または外部駆動回路と接続するための面積が広い端部１２９を有する。
ゲート線１２１は、アルミニウムやアルミニウム合金（Ａｌ−ａｌｌｏｙ）などのアルミニウム系金属、銀や銀合金（Ａｇ−ａｌｌｏｙ）などの銀系金属、銅や銅合金（Ｃｕ−ａｌｌｏｙ）などの銅系金属、モリブデンやモリブデン合金（Ｍｏ−ａｌｌｏｙ）などのモリブデン系金属、クロム（Ｃｒ）、タンタル（Ｔａ）及びチタニウム（Ｔｉ）などで形成することができる。さらに、これらは、物理的性質が異なる２つの導電膜（図示せず）を含む多重膜構造を有する構成とすることもできる。そのうちの１つの導電膜は、信号遅延や電圧降下を減らすことができるように低い比抵抗（ｒｅｓｉｓｔｉｖｉｔｙ）の金属、例えばアルミニウム系金属、銀系金属または銅系金属などで形成される。これとは異なって、他の導電膜は他の物質、特にＩＴＯまたはＩＺＯとの物理的、化学的及び電気的接触特性が優れた物質、例えばモリブデン系金属、クロム、チタニウム、タンタルなどで形成される。このような組み合わせの好適な例としては、クロム下部膜とアルミニウム（合金）上部膜、またはアルミニウム（合金）下部膜とモリブデン（合金）上部膜がある。しかし、これに限定されず、多様な金属または導電体から構成することができる。
【００１７】
ゲート線１２１の側面は、基板１１０に対して傾斜しており、その傾斜角は約３０〜８０度とすることができる。
ゲート線１２１上には、窒化ケイ素（ＳｉＮｘ）または酸化ケイ素（ＳｉＯ2）からなるゲート絶縁膜１４０が形成されている。
ゲート絶縁膜１４０上には、水素化非晶質シリコン（非晶質シリコンはａ−Ｓｉと略称する）または多結晶シリコンなどからなる複数の線状半導体１５１が形成されている。線状半導体１５１は、主に図２縦方向に延設されており、ゲート電極１２４側に延設された複数の突出部１５４を有する。
【００１８】
線状半導体１５１上には、複数の線状及び島状オーミック接触部材１６１、１６５が形成されている。線状オーミック接触部材１６１は、複数の突出部１６３を有し、突出部１６３と島状オーミック接触部材１６５は、線状半導体の突出部１５４上で対をなしている。線状及び島状オーミック接触部材１６１、１６５は、リン（Ｐ）のようなｎ型不純物が高濃度にドーピングされているｎ＋水素化非晶質シリコンなどの物質またはシリサイドで構成することができる。
【００１９】
線状半導体１５１及びオーミック接触部材１６１、１６５は、基板１１０面に対して傾斜しており、その傾斜角は、約３０〜８０度とすることができる。
オーミック接触部材１６１、１６５及びゲート絶縁膜１４０上には、複数のデータ線１７１及びデータ線１７１から分離されている複数のドレイン電極１７５が形成されている。
【００２０】
データ線１７１は、データ信号を伝達し、主に図２縦方向に延設されてゲート線１２１と交差する。また、各データ線１７１は、ドレイン電極１７５側に突出した複数のソース電極１７３と、他の層または外部駆動回路と接続するための広い面積の端部１７９を有する。データ信号を生成するデータ駆動回路（図示せず）が基板１１０上に集積されている場合、データ線１７１が延設されてデータ駆動回路と直接接続される。
【００２１】
ゲート電極１２４、ソース電極１７３及びドレイン電極１７５は、線状半導体１５１の突出部１５４と共に薄膜トランジスタ（ＴＦＴ）をなし、薄膜トランジスタチャンネルは、ソース電極１７３とドレイン電極１７５の間の線状半導体１５１の突出部１５４上に形成される。
データ線１７１及びドレイン電極１７５は、モリブデン（Ｍｏ）、クロム（Ｃｒ）、タンタル（Ｔａ）及びチタニウム（Ｔｉ）などの耐火性金属またはこれらの合金からなることが好ましく、耐火性金属などの導電膜（図示せず）または低抵抗性導電膜（図示せず）からなる多層膜構造を有する構造とすることもできる。多層膜構造としては、例えば、クロムまたはモリブデン（合金）下部膜とアルミニウム（合金）上部膜の二重膜、モリブデン（合金）下部膜、アルミニウム（合金）中間膜とモリブデン（合金）上部膜の三重膜がある。しかし、データ線１７１及びドレイン電極１７５は、これに限定されず多様な金属または導電体で構成できる。
【００２２】
ゲート線１２１と同様に、データ線１７１及びドレイン電極１７５の側面も基板１１０に対して３０〜８０度程度傾斜するように構成できる。
オーミック接触部材１６１、１６５は、下部の線状半導体１５１と上部のデータ線１７１及びドレイン電極１７５の間にのみ存在し、その間の接触抵抗を低くする。線状半導体１５１は、ソース電極１７３とドレイン電極１７５の間でデータ線１７１とドレイン電極１７５で覆われない複数の露出部を有する。
【００２３】
データ線１７１、ドレイン電極１７５及び露出した半導体部分上には、保護膜１８０が形成されている。保護膜１８０は、窒化ケイ素（ＳｉＮｘ）や酸化ケイ素（ＳｉＯ2）などの無機絶縁物質、アクリル系またはイミド系などの感光性を有する有機絶縁物質、４．０以下の誘電定数を有し、プラズマ化学気相蒸着（ＰＥＣＶＤ）で形成されるａ−Ｓｉ:Ｃ:Ｏ、ａ−Ｓｉ:Ｏ:Ｆなどで構成できる。または、保護膜１８０は、有機膜の優れた絶縁特性を維持しつつ、露出した半導体部分に影響を及ぼさないように、下部無機膜と上部有機膜からなる二重膜構造で形成することもできる。
【００２４】
保護膜１８０は、ゲート線１２１及びデータ線１７１の端部１２９、１７９とドレイン電極１７５の拡張部をそれぞれ露出させる複数のコンタクトホール１８１、１８２、１８５を有する。
保護膜１８０上には、複数の画素電極１９０及び複数の接触補助部材８１、８２が形成されている。これらは、ＩＴＯまたはＩＺＯなどの透明な導電物質、またはアルミニウム（Ａｌ）、銀（Ａｇ）、またはこれらの合金などの反射性導電物質で構成できる。
【００２５】
画素電極１９０は、コンタクトホール１８５を介してドレイン電極１７５と物理的、電気的に接続されている。
複数の接触補助部材８１、８２は、それぞれコンタクトホール１８１、１８２を介してゲート線１２１の端部１２９とデータ線１７１の端部１７９に接続されている。接触補助部材８１、８２は、ゲート線またはデータ線の端部１２９、１７９と外部装置との接着性を補完し、それらを保護する。
【００２６】
一方、薄膜トランジスタ表示板１００と対向する対向表示板２００は、下部基板１１０と対向する上部基板２１０と、上部基板２１０全面に形成され、透明な導電物質からなる共通電極２７０とを備える。
薄膜トランジスタ表示板１００と対向表示板２００との間には、各画素領域を分離するための複数の隔壁３６０が形成されている。隔壁３６０は、絶縁性有機物質からなることができ、各画素領域を分離しつつ、開口率に影響を及ぼさないために各データ線１７１上に形成することができる。本実施形態では、隔壁３６０を柱状に図示したが、各画素領域を分離できるものであれば、特定の形状に限定されない。
【００２７】
隔壁３６０によって分離された各画素領域は、透明な流体（ｆｌｕｉｄ）３１０と、陽性または陰性に帯電された着色粒子３００ａ、３００ｂ、３００ｃとを有する。流体３１０は、着色粒子３００ａ、３００ｂ、３００ｃを分散するための媒質であって、着色粒子３００ａ、３００ｂ、３００ｃの移動を妨げない程度の十分に低い粘性及び誘電定数を有する必要がある。
【００２８】
流体２０内には、赤色、緑色及び青色のいずれか一色を示し、陽性または陰性の表面電荷を有する着色粒子３００ａ、３００ｂ、３００ｃが分散されている。着色粒子３００ａ、３００ｂ、３００ｃは、各画素領域に応じて異なる色を有する。例えば、図３のように、連続する３つの画素領域を考慮する場合、１つの画素領域には、例えば複数の赤色粒子３００ａが充填され、隣接する画素領域には、例えば複数の緑色粒子３００ｂが充填され、それに隣接する画素領域には、例えば青色粒子３００ｃが充填されている。
【００２９】
着色粒子３００ａ、３００ｂ、３００ｃは、例えば、酸化チタン（ＴｉＯ2）からなる白色粒子上に赤色、緑色及び青色の有機顔料を着色して形成する。着色粒子３００ａ、３００ｂ、３００ｃは、流体内で十分なコロイド安定性を有しており、互いに固まったり、沈殿することがないようにする。
前記のように、各画素領域内に流体３１０に分散された着色粒子３００ａ、３００ｂ、３００ｃが含まれることによって、観察者は、電界印加時に対向表示板２００側に配列される着色粒子３００ａ、３００ｂ、３００ｃの色を見ることができる。その結果、別途のカラーフィルタなしでフルカラーを実現することができる。
【実施例２】
【００３０】
以下、本発明の他の一実施形態による電気泳動表示装置について説明する。
図４は、本発明の他の一実施形態による電気泳動表示装置の駆動原理を概略的に示した模式図である。
本発明の他の一実施形態による電気泳動表示装置は、図４のように、下部電極１９０、上部電極２７０、下部電極１９０と上部電極２７０との間を複数の領域に分離するための隔壁３６０、隔壁３６０によって分離された全ての領域に充填されている絶縁性流体３１０、絶縁性流体３１０に分散され陽性または陰性に帯電されて、各領域に順に充填される複数の着色粒子３００ａ、３００ｂ、３００ｃ、及び同一領域に含まれた着色粒子３００ａ、３００ｂ、３００ｃと反対電荷を有する黒色粒子３００ｄを有する。
【００３１】
帯電されている着色粒子３００ａ、３００ｂ、３００ｃと黒色粒子３００ｄは、電気泳動現象によって反対極性の電極に移動する。この場合、同一領域に含まれている着色粒子３００ａ、３００ｂ、３００ｃと黒色粒子３００ｄは、互いに反対電荷を有するため、互いに混合されず逆方向に配列される。即ち、単一領域内の着色粒子３００ａが電気泳動現象によって下部電極１９０側に移動する時、反対の電荷を有する黒色粒子３００ｄは上部電極２７０側に移動する。この場合、外部光が黒色粒子３００ｄに吸収されて完全なブラックを表現することができるので、コントラスト比を改善することができる。
【実施例３】
【００３２】
本実施形態では、図４の電気泳動表示装置を本発明の他の一実施形態による薄膜トランジスタ表示板を備える電気泳動表示装置に適用した場合について説明する。
図５及び図６は、本発明の他の一実施形態による電気泳動表示装置を示す断面図である。
本実施形態による電気泳動表示装置は、実施例１と同様に、薄膜トランジスタ表示板１００、対向表示板２００、及びこれらの間で隔壁３６０によって分離される複数の領域を備える。
【００３３】
まず、薄膜トランジスタ表示板１００には、透明ガラスなどからなる下部基板１１０上にゲート電極１２４を有する複数のゲート線１２１が形成されている。
ゲート線１２１は、ゲート信号を伝達し、主に図において横方向に延設されている。各ゲート線１２１は、図下方に突出している複数のゲート電極１２４と他の層または外部駆動回路と接続するための面積が広い端部１２９を有する。
【００３４】
ゲート線１２１上には、窒化ケイ素（ＳｉＮｘ）または酸化ケイ素（ＳｉＯ2）からなるゲート絶縁膜１４０が形成されている。
ゲート絶縁膜１４０上には、水素化非晶質シリコン（非晶質シリコンはａ−Ｓｉ略称する）または多結晶シリコンなどからなる複数の線状半導体１５１が形成されている。線状半導体１５１は、主に図縦方向に延設されており、ゲート電極１２４側に延設された複数の突出部１５４を有する。
【００３５】
線状半導体１５１上には、複数の線状及び島状オーミック接触部材１６１、１６５が形成されている。線状オーミック接触部材１６１は、複数の突出部１６３を有し、突出部１６３と島状オーミック接触部材１６５は、線状半導体の突出部１５４上で対をなしている。線状及び島状オーミック接触部材１６１、１６５は、リン（Ｐ）のようなｎ型不純物が高濃度にドーピングされているｎ＋水素化非晶質シリコンなどの物質またはシリサイドで構成することができる。
【００３６】
オーミック接触部材１６１、１６５及びゲート絶縁膜１４０上には、複数のデータ線１７１及びデータ線１７１から分離されている複数のドレイン電極１７５が形成されている。
データ線１７１は、データ信号を伝達し、主に図縦方向に延設されてゲート線１２１と交差する。また、各データ線１７１は、ドレイン電極１７５側に突出した複数のソース電極１７３と他の層または外部駆動回路と接続するための広い面積の端部１７９を有する。
【００３７】
ゲート電極１２４、ソース電極１７３及びドレイン電極１７５は、線状半導体１５１の突出部１５４と共に薄膜トランジスタ（ＴＦＴ）をなし、薄膜トランジスタチャンネルは、ソース電極１７３とドレイン電極１７５との間の線状半導体１５１の突出部１５４上に形成される。
データ線１７１、ドレイン電極１７５及び露出した半導体部分上には、保護膜１８０が形成されている。保護膜１８０は、窒化ケイ素（ＳｉＮｘ）や酸化ケイ素（ＳｉＯ2）などの無機絶縁物質、アクリル系またはイミド系などの感光性を有する有機絶縁物質、４．０以下の誘電定数を有し、プラズマ化学気相蒸着（ＰＥＣＶＤ）で形成されるａ−Ｓｉ:Ｃ:Ｏ、ａ−Ｓｉ:Ｏ:Ｆなどから構成することができる。さらに、保護膜１８０は、有機膜の優れた絶縁特性を維持しつつ、露出した半導体部分に影響を及ぼさないように下部無機膜と上部有機膜からなる二重膜構造で形成することもできる。
【００３８】
保護膜１８０は、データ線１７１の端部１７９とドレイン電極１７５の拡張部をそれぞれ露出する複数のコンタクトホール１８２、１８５を有する。
保護膜１８０上には、複数の画素電極１９０及び複数の接触補助部材８１、８２が形成されている。これらは、ＩＴＯまたはＩＺＯなどの透明な導電物質、またはアルミニウム（Ａｌ）、銀（Ａｇ）またはこれらの合金などの反射性導電物質から構成することができる。
【００３９】
画素電極１９０は、コンタクトホール１８５を介してドレイン電極１７５と物理的、電気的に接続されている。
複数の接触補助部材８１、８２は、それぞれコンタクトホール１８１、１８２を介してゲート線１２１の端部１２９とデータ線１７１の端部１７９に接続されている。接触補助部材８１、８２は、ゲート線またはデータ線の端部１２９、１７９と外部装置との接着性を補完し、これらを保護する。
【００４０】
一方、薄膜トランジスタ表示板１００と対向する対向表示板２００は、図５のように、透明ガラスなどからなる上部基板２１０、上部基板２１０上部に形成され、繰り返される凹パターンを有する共通電極２７０を備える。
または、図６のように、対向表示板２００は、透明ガラスなどからなる上部基板２１０、上部基板２１０上部に形成され繰り返される凹凸を有する層間膜２５０、及び層間膜２５０全面に形成されている共通電極２７０を備える構成とすることもできる。この場合、感光性有機物質からなる層間膜２５０を露光して一定に繰り返される凹凸を形成することができ、前記凹凸によって各画素領域毎に繰り返される凹パターンを形成することができる。層間膜２５０上には、ＩＴＯまたはＩＺＯのような透明導電体からなる共通電極２７０が形成されている。
【００４１】
前記のように、対向表示板２００の共通電極２７０または層間膜２５０に繰り返される凹パターンが形成することによって、視野角をさらに改善することができる。
また、薄膜トランジスタ表示板１００と対向表示板２００との間には、各画素領域を分離するための複数の隔壁３６０が形成されている。
隔壁３６０によって分離された各画素領域は、透明な流体３１０、陽性または陰性に帯電された着色粒子３００ａ、３００ｂ、３００ｃ及び黒色粒子３００ｄを有する。流体３１０は、着色粒子３００ａ、３００ｂ、３００ｃ及び黒色粒子３００ｄを分散させるための媒質であって、着色粒子３００ａ、３００ｂ、３００ｃ及び黒色粒子３００ｄの移動を妨げない程度の十分に低い粘性及び誘電常数を有する必要がある。
【００４２】
黒色粒子３００ｄは、着色粒子３００ａ、３００ｂ、３００ｃと反対電荷を有するので、電界印加時に互いに反対電極側に配列される。例えば、１つの画素領域内の着色粒子３００ａが電気泳動現象によって画素電極１９０側に移動する時、反対の電荷を有する黒色粒子３００ｄは、共通電極２７０側に移動することによって外部光が黒色粒子３００ｄに吸収されて完全なブラックを表現することができる。その結果、コントラスト比を改善することができる。
【００４３】
図７は、図６の電気泳動表示装置に電界を印加したときの図６のＡ部分を拡大して示した断面図である。
電界印加時、共通電極２７０または層間膜２５０に繰り返される凹パターンが形成されている場合、共通電極２７０と反対電荷を有する着色粒子３００ａは共通電極２７０の表面に沿って一列に分布する。これにより、各画素の正面だけでなく側面からも着色粒子３３０ａによって反射される程度を調節し、視野角を顕著に向上させることができる。
【００４４】
以上、薄膜トランジスタを用いた能動型（ａｃｔｉｖｅ）駆動方式のみについて例を挙げて説明したが、交差して形成された２つの電極間に電圧を印加する手動型（ｐａｓｓｉｖｅ）駆動方式にも同様に適用することができることは勿論である。
このように、隔壁によって分離された領域でそれぞれの着色粒子を含むことによって、追加工程が不要で、かつ別途のカラーフィルタなしで多様な色を表現することができ、一側の電極に凹部を有することによって、より改善された広視野角特性を実現することができる。
【００４５】
以上、本発明の好適な実施形態について詳細に説明したが、本発明の権利範囲はこれに限定されるものでなく、特許請求の範囲で定義している本発明の基本概念を利用した当業者の様々な変形及び改良形態も本発明の権利範囲に属する。
【図面の簡単な説明】
【００４６】
【図１】本発明の一実施形態による電気泳動表示装置の駆動原理を概略的に示した模式図である。
【図２】図１の電気泳動表示装置を薄膜トランジスタ表示板に適用した電気泳動表示装置の構造を示した配置図である。
【図３】図２の電気泳動表示装置のIII-III'線に沿った断面図である。
【図４】本発明の他の一実施形態による電気泳動表示装置の駆動原理を概略的に示した模式図である。
【図５】本発明の他の一実施形態による電気泳動表示装置を示す断面図である。
【図６】本発明の他の一実施形態による電気泳動表示装置を示す断面図である。
【図７】図６の電気泳動表示装置に電界印加する時の１つの画素領域を拡大した断面図である。
【符号の説明】
【００４７】
１００  薄膜トランジスタ表示板
１１０  下部基板
１２１  ゲート線
１２４  ゲート電極
１４０  ゲート絶縁膜
１５１  半導体
１７１  データ線
１８０  保護膜
１９０  画素電極
２００  対向表示板
２１０  上部基板
２５０  層間膜
２７０  共通電極
３００ａ〜３００ｃ  着色粒子
３００ｄ  黒色粒子
３６０  隔壁
３１０  流体
【図１】
2006293312.tif 000003
【図２】
2006293312.tif 000004
【図３】
2006293312.tif 000005
【図４】
2006293312.tif 000006
【図５】
2006293312.tif 000007
【図６】
2006293312.tif 000008
【図７】
2006293312.tif 000009